(57)【要約】      （修正有）【課題】  デフロスト運転時においても室内を暖房することができる空気調和装置を提供する。【解決手段】  蓄熱用熱交換器４２を凝縮器として機能させ、室外熱交換器３１２を蒸発器として機能させる蓄冷状態と、室内熱交換器３７１および室外熱交換器３１２を凝縮器として機能させ、蓄熱用熱交換器４２を蒸発器として機能させる暖房兼デフロスト状態切替可能とし、、暖房兼デフロスト状態において、圧縮機３１１から直接に室外熱交換器３１２に向かって吐出される冷媒の一部を室内熱交換器３７１に導き、室内熱交換器３７１を凝縮器として機能させる分岐管と、室内熱交換器３７１へ流れる冷媒の流量を制御する冷媒制御機構を備える。【選択図】      図１
2005337666.tif 000002
【特許請求の範囲】
【請求項１】
圧縮機（３１１）と、
熱源側熱交換器（３１２）と、
利用側熱交換器（３７１）と、
蓄熱材と熱交換を行う蓄熱用熱交換器（４２）と、
前記蓄熱用熱交換器（４２）を凝縮器として機能させ前記熱源側熱交換器（３１２）を蒸発器として機能させる蓄熱状態と、前記利用側熱交換器（３７１）および前記熱源側熱交換器（３１２）を凝縮器として機能させ前記蓄熱用熱交換器（４２）を蒸発器として機能させる暖房兼デフロスト状態とを切換可能である切換機構（ＯＣ１，ＯＣ２，３１４，ＥＶ２）と、
前記暖房兼デフロスト状態において、前記圧縮機（３１１）から直接前記熱源側熱交換器（３１２）に向かって吐出される冷媒の一部を前記利用側熱交換器（３７１）に導き、前記利用側熱交換器（３７１）を凝縮器として機能させるための分岐配管（３ｂ）と、
前記暖房兼デフロスト状態において前記利用側熱交換器（３７１）へ流れる冷媒の流量を制御する冷媒流量制御機構（３１５，３１８，３１９）と、
を有する冷媒回路を備える空気調和装置（１−３）。
【請求項２】
前記冷媒流量制御機構（３１５，３１８）は、前記暖房兼デフロスト状態において前記熱源側熱交換器（３１２）へ流れる前記冷媒の流量を低下させる、
請求項１に記載の空気調和装置（１，２）。
【請求項３】
前記冷媒流量制御機構（３１５，３１８）は、少なくとも前記暖房兼デフロスト状態の開始直後に前記熱源側熱交換器（３１２）へ流れる前記冷媒の流量を低下させる、
請求項２に記載の空気調和装置（１，２）。
【請求項４】
前記冷媒流量制御機構（３１５，３１８）は、前記冷媒回路において前記分岐配管（３ｂ）による前記冷媒の分岐点と前記熱源側熱交換器（３１２）との間に設けられる、
請求項２または３に記載の空気調和装置（１，２）。
【請求項５】
前記冷媒流量制御機構（３１５，３１８）は、弁体の開度によって前記冷媒の流量を制御する流量制御弁である、
請求項２から４のいずれかに記載の空気調和装置（１，２）。
【請求項６】
前記冷媒回路は、前記分岐配管（３ｂ）による前記冷媒の分岐点と前記熱源側熱交換器（３１２）との間において、前記冷媒が並列に流れる第１冷媒経路（３１６）および第２冷媒経路（３１７）を有しており、
前記冷媒流量制御機構（３１８）は、前記第２冷媒経路（３１７）に設けられる、
請求項５に記載の空気調和装置（２）。
【請求項７】
前記第１冷媒経路（３１６）と前記冷媒流量制御機構（３１８）が全開状態となっている前記第２冷媒経路（３１７）との単位長さあたりの圧力損失は、前記冷媒回路における前記第１冷媒経路（３１６）と前記冷媒第２経路（３１７）の前後の部分の圧力損失と同等である、
請求項６に記載の空気調和装置（２）。
【請求項８】
前記冷媒流量制御機構（３１９）は、前記暖房兼デフロスト状態において前記分岐配管（３ｂ）によって前記利用側熱交換器（３７１）へと導かれる前記冷媒を昇圧する、
請求項１に記載の空気調和装置（３）。
【請求項９】
前記冷媒流量制御機構（３１９）は、少なくとも前記暖房兼デフロスト状態の開始直後に前記分岐配管（３ｂ）によって前記利用側熱交換器（３７１）へと導かれる前記冷媒を昇圧する、
請求項８に記載の空気調和装置（３）。
【請求項１０】
前記冷媒流量制御機構（３１９）は、前記分岐配管（３ｂ）上に設けられる、
請求項８または９に記載の空気調和装置（３）。
【請求項１１】
前記冷媒流量制御機構（３１９）は、前記冷媒を圧縮して昇圧する圧縮機構である、
請求項８から１０のいずれかに記載の空気調和装置（３）。
【発明の詳細な説明】
【技術分野】
【０００１】
本発明は、空気調和装置、特に、暖房運転とデフロスト運転とを行う空気調和装置に関する。
【背景技術】
【０００２】
従来、蓄熱材に蓄熱された熱を取り出して室内の暖房運転や熱源側熱交換器のデフロスト運転に利用することができる蓄熱利用型の空気調和機が利用されている。
この空気調和機では、暖房運転時には、圧縮機から吐出した冷媒が蒸発器として機能する蓄熱用熱交換器を流れて、冷媒が蓄熱材の蓄熱によって加熱される。加熱された冷媒は凝縮器として機能する利用側熱交換器に流れ、室内等の暖房が行われる。利用側熱交換器において凝縮した冷媒は、蒸発器として機能する熱源側熱交換器へと流れて蒸発する。その後、冷媒は圧縮機へと戻り、この循環が繰り返される。
【０００３】
また、デフロスト運転時には、圧縮機から吐出した冷媒が熱源側熱交換器へと流れ、高温の冷媒によって熱源側熱交換器に付着した霜が融解される。熱源側熱交換器において凝縮した冷媒は、蒸発器として機能する蓄熱用熱交換器を流れ、蓄熱材の蓄熱によって加熱される。その後、冷媒は圧縮機へと戻り、この循環が繰り返される（特許文献１参照）。
【特許文献１】特開２０００−２９１９８５号公報（〔００２０〕、〔００２１〕および図１）
【発明の開示】
【発明が解決しようとする課題】
【０００４】
しかし、上記のような空気調和装置では、デフロスト運転時に室内を暖房することができないという不具合が生じる。すなわち、上記のような冷媒の流れでは、暖房運転時にはデフロスト運転を行うことができず、また、デフロスト運転時には暖房運転を行うことができない。
本発明の課題は、デフロスト運転時においても室内を暖房することができる空気調和装置を提供することにある。
【課題を解決するための手段】
【０００５】
第１発明にかかる空気調和装置は、圧縮機と、熱源側熱交換器と、利用側熱交換器と、蓄熱用熱交換器と、切換機構と、分岐配管と、冷媒流量制御機構とを有する冷媒回路を備える。蓄熱用熱交換器は、蓄熱材と熱交換を行う。切換機構は、蓄熱状態と暖房兼デフロスト状態とを切換可能である。蓄熱状態とは、蓄熱用熱交換器を凝縮器として機能させ、熱源側熱交換器を蒸発器として機能させる状態である。暖房兼デフロスト状態とは、利用側熱交換器および熱源側熱交換器を凝縮器として機能させ、蓄熱用熱交換器を蒸発器として機能させる状態である。分岐配管は、暖房兼デフロスト状態において、圧縮機から直接に熱源側熱交換器に向かって吐出される冷媒の一部を利用側熱交換器に導き、利用側熱交換器を凝縮器として機能させる。そして、冷媒流量制御機構は、暖房兼デフロスト状態において、利用側熱交換器へ流れる冷媒の流量を制御する。
【０００６】
この空気調和機装置では、圧縮機から直接熱源側熱交換器に向かって吐出される冷媒の一部を分岐配管によって利用側熱交換器に導くことによって、熱源側熱交換器を凝縮器として機能させると共に利用側熱交換器を凝縮器として機能させることができる。これにより、この空気調和装置では、デフロスト運転時においても室内を暖房することができる。
また、圧縮機から直接熱源側熱交換器に向かって吐出される冷媒の一部を分岐配管によって利用側熱交換器に導く場合、暖房兼デフロスト運転開始直後には熱源側熱交換器が低温であるため、圧縮機から吐出された高温のガス冷媒は、熱源側熱交換器へと多く流れ易くなる。このため、利用側熱交換器における凝縮温度および凝縮圧力が低下し、利用側熱交換器における暖房能力が低下する恐れがある。しかし、この空気調和装置では、冷媒流量制御機構によって、利用側熱交換器へ流れる冷媒の流量を制御することができる。このため、暖房兼デフロスト状態において、圧縮機から吐出され利用側熱交換器へ導かれる冷媒の流量を調整することによって、利用側熱交換器へ流れる冷媒の凝縮温度および凝縮圧力の低下を抑えることができる。これにより、この空気調和装置では、暖房兼デフロスト状態における利用側熱交換器の暖房能力の低下を抑えることができる。
【０００７】
第２発明にかかる空気調和装置は、第１発明の空気調和装置であって、冷媒流量制御機構は、暖房兼デフロスト状態において熱源側熱交換器へ流れる冷媒の流量を低下させる。
この空気調和装置では、冷媒流量制御機構は、熱源側熱交換器へ流れる冷媒の流量を低下させることによって、利用側熱交換器へと導かれる冷媒の流量を相対的に増大させることができる。従って、利用側熱交換器へと導かれる冷媒の凝縮温度および凝縮圧力の低下を抑えることができる。これにより、この空気調和装置では、暖房兼デフロスト状態における利用側熱交換器の暖房能力の低下を抑えることができる。
【０００８】
第３発明にかかる空気調和装置は、第２発明の空気調和装置であって、冷媒流量制御機構は、少なくとも暖房兼デフロスト状態の開始直後に熱源側熱交換器へ流れる冷媒の流量を低下させる。
この空気調和装置では、少なくとも暖房兼デフロスト状態の開始直後に熱源側熱交換器へ流れる冷媒の流量が低下され、利用側熱交換器へと導かれる冷媒の凝縮温度および凝縮圧力の低下が抑えられる。暖房兼デフロスト状態の開始直後は、蓄熱側熱交換器の温度が特に低下しているため、利用側熱交換器へ導かれる冷媒は特にその影響を受け易い。従って、少なくとも暖房兼デフロスト状態の開始直後に熱源側熱交換器へ流れる冷媒の流量が低下されることによって、より効果的に利用側熱交換器の暖房能力の低下を抑えることができる。
【０００９】
第４発明にかかる空気調和装置は、第２発明または第３発明の空気調和装置であって、冷媒流量制御機構は、冷媒回路において分岐配管による冷媒の分岐点と熱源側熱交換器との間に設けられる。
この空気調和装置では、冷媒流量制御機構は、冷媒回路において分岐配管による冷媒の分岐点と熱源側熱交換器との間に設けられる。冷媒流量制御機構が、熱源側熱交換器へ流れる冷媒の流量を低下させると、冷媒流量制御機構よりも上流側の冷媒の圧力を増大させることができる。従って、この空気調和装置では、分岐配管から利用側熱交換器へと導かれる冷媒の圧力を容易に増大させることができる。
【００１０】
第５発明にかかる空気調和装置は、第２発明から第４発明のいずれかに記載の空気調和装置であって、冷媒流量制御機構は、弁体の開度によって冷媒の流量を制御する流量制御弁である。
この空気調和装置では、冷媒流量制御機構は、弁開度を調整することによって冷媒の流用を調整することができる。これにより、この空気調和装置では、熱源側熱交換器へと流れる冷媒の流量を簡易な構成で制御することができる。
【００１１】
第６発明にかかる空気調和装置は、第５発明の空気調和装置であって、冷媒回路は、分岐配管による冷媒の分岐点と熱源側熱交換器との間において冷媒が並列に流れる第１冷媒経路および第２冷媒経路を有している。そして、冷媒流量制御機構は、第２冷媒経路に設けられる。
冷媒回路上に流量制御弁のような冷媒流量制御機構が設けられると、このような機構が設けられていない部分と比べて、冷媒の圧力損失が増大する恐れがある。
【００１２】
この空気調和装置では、冷媒が第１冷媒経路と冷媒流量制御機構が設けられた第２冷媒経路とに分かれて流れることができる。このため、冷媒回路に冷媒流量制御機構が設けられることによって生じる冷媒の圧力損失を低減することができる。
第７発明にかかる空気調和装置は、第６発明の空気調和装置であって、第１冷媒経路と冷媒流量制御機構が全開状態となっている第２冷媒経路との単位長さあたりの圧力損失は、冷媒回路における第１冷媒経路と第２冷媒経路の前後の部分の圧力損失と同等である。
【００１３】
この空気調和装置では、冷媒が第１冷媒経路と冷媒流量制御機構が設けられた第２冷媒経路とに分かれて流れることができ、このときの圧力損失は、冷媒流量制御機構が設けられていない場合の圧力損失と同等である。従って、この空気調和装置では、冷媒流量制御機構による冷媒の圧力損失の発生をより低減することができる。
第８発明にかかる空気調和装置は、第１発明の空気調和装置であって、冷媒流量制御機構は、暖房兼デフロスト状態において分岐配管によって利用側熱交換器へと導かれる冷媒を昇圧する。
【００１４】
この空気調和装置では、冷媒流量制御機構は、分岐配管によって利用側熱交換器へと導かれる冷媒を昇圧することによって、利用側熱交換器へと導かれる冷媒の凝縮温度および凝縮圧力の低下を抑えることができる。これにより、この空気調和装置では、暖房兼デフロスト状態における利用側熱交換器の暖房能力の低下を抑えることができる。
第９発明にかかる空気調和装置は、第８発明の空気調和装置であって、冷媒流量制御機構は、少なくとも暖房兼デフロスト状態の開始直後に分岐配管によって利用側熱交換器へと導かれる冷媒を昇圧する。
【００１５】
この空気調和装置では、少なくとも暖房兼デフロスト状態の開始直後に分岐配管によって利用側熱交換器へと導かれる冷媒が昇圧され、利用側熱交換器へと導かれる冷媒の凝縮温度および凝縮圧力の低下が抑えられる。暖房兼デフロスト状態の開始直後は、蓄熱側熱交換器の温度が特に低下しているため、利用側熱交換器へ導かれる冷媒は特にその影響を受け易い。従って、少なくとも暖房兼デフロスト状態の開始直後に、利用側熱交換器へ導かれる冷媒が昇圧されることによって、より効果的に利用側熱交換器の暖房能力の低下を抑えることができる。
【００１６】
第１０発明にかかる空気調和装置は、第８発明または第９発明の空気調和装置であって、冷媒流量制御機構は、分岐配管上に設けられる。
この空気調和装置では、冷媒流量制御機構は、分岐配管上に設けられる。このため、分岐配管を通って利用側熱交換器へと導かれる冷媒を容易に昇圧することができる。
第１１発明にかかる空気調和装置は、第８発明から第１０発明のいずれかの空気調和装置であって、冷媒流量制御機構は、冷媒を圧縮して昇圧する圧縮機構である。
【００１７】
この空気調和装置では、圧縮機構によって冷媒を圧縮して昇圧することができる。このため、利用側熱交換器へ導かれる冷媒を簡易な構成で昇圧することができる。
【発明の効果】
【００１８】
第１発明にかかる空気調和装置では、デフロスト運転時においても室内を暖房することができる。また、暖房兼デフロスト状態における利用側熱交換器の暖房能力の低下を抑えることができる。
第２発明にかかる空気調和装置では、冷媒流量制御機構は、熱源側熱交換器へ流れる冷媒の流量を低下させることによって、利用側熱交換器へと導かれる冷媒の流量を相対的に増大させることができ、暖房兼デフロスト状態における利用側熱交換器の暖房能力の低下を抑えることができる。
【００１９】
第３発明にかかる空気調和装置では、少なくとも暖房兼デフロスト状態の開始直後に熱源側熱交換器へ流れる冷媒の流量が低下されることによって、より効果的に利用側熱交換器の暖房能力の低下を抑えることができる。
第４発明にかかる空気調和装置では、冷媒流量制御機構は冷媒回路において分岐配管による冷媒の分岐点と熱源側熱交換器との間に設けられ、分岐配管から利用側熱交換器へと導かれる冷媒の圧力を容易に増大させることができる。
【００２０】
第５発明にかかる空気調和装置では、冷媒流量制御機構は弁開度を調整することによって冷媒の流用を調整することができ、熱源側熱交換器へと流れる冷媒の流量を簡易な構成で制御することができる。
第６発明にかかる空気調和装置では、冷媒が第１冷媒経路と冷媒流量制御機構が設けられた第２冷媒経路とに分かれて流れることができ、冷媒回路に冷媒流量制御機構が設けられることによって生じる冷媒の圧力損失を低減することができる。
【００２１】
第７発明にかかる空気調和装置では、冷媒が第１冷媒経路と冷媒流量制御機構が設けられた第２冷媒経路とに分かれて流れることができ、このときの圧力損失は、冷媒流量制御機構が設けられていない場合の圧力損失と同等である。従って、この空気調和装置では、冷媒流量制御機構による冷媒の圧力損失の発生をより低減することができる。
第８発明にかかる空気調和装置では、冷媒流量制御機構は、分岐配管によって利用側熱交換器へと導かれる冷媒を昇圧することによって、暖房兼デフロスト状態における利用側熱交換器の暖房能力の低下を抑えることができる。
【００２２】
第９発明にかかる空気調和装置では、少なくとも暖房兼デフロスト状態の開始直後に、利用側熱交換器へ導かれる冷媒が昇圧されることによって、より効果的に利用側熱交換器の暖房能力の低下を抑えることができる。
第１０発明にかかる空気調和装置では、冷媒流量制御機構は、分岐配管上に設けられ、分岐配管を通って利用側熱交換器へと導かれる冷媒を容易に昇圧することができる。
【００２３】
第１１発明にかかる空気調和装置では、圧縮機構によって冷媒を圧縮して昇圧することができ、利用側熱交換器へ導かれる冷媒を簡易な構成で昇圧することができる。
【発明を実施するための最良の形態】
【００２４】
＜第１実施形態＞
〈空気調和装置の構成〉
［冷媒回路の全体構成］
本発明の第１実施形態にかかる空気調和装置１の概略冷媒回路を図１に示す。
この空気調和装置１は、冷房運転および暖房運転のみならずデフロスト運転、暖房兼温蓄熱運転、および暖房兼デフロスト運転も可能な空気調和装置１（冬季などにおいて気温が氷点下となるような寒冷地向けの空気調和装置）であって、主冷媒回路３ａ、バイパスライン３ｂ、および蓄熱ライン３ｃから構成される冷媒回路を備えている。
【００２５】
主冷媒回路３ａには主に、圧縮機３１１、四路切換弁３１３、流量制御弁３１５、室外熱交換器３１２、膨張回路３１４、室内熱交換器３７１、および第１開閉機構ＯＣ１が配備されており、各機器は、図１に示されるように、冷媒配管を介して接続されている。
バイパスライン３ｂは、一端が四路切換弁３１３と室外熱交換器３１２のガス側とを接続する冷媒配管（以下、第１室外側冷媒ガス配管という）に、他端が第１開閉機構ＯＣ１と室内熱交換器３７１のガス側とを接続する冷媒配管（以下、室内側冷媒ガス配管という）に配管接続されることによって主冷媒回路３ａと接続されている。なお、以下、バイパスライン３ｂと第１室外側冷媒ガス配管との接続点を第１ＢＬ接続点ＢＣ１といい、バイパスライン３ｂと室内側冷媒ガス配管との接続点を第２ＢＬ接続点ＢＣ２という。そして、このバイパスライン３ｂには、第２開閉機構ＯＣ２が配備されている。
【００２６】
蓄熱ライン３ｃは、一端が膨張回路３１４と室内熱交換器３７１の液側とを接続する冷媒配管（以下、室外側冷媒液配管という）に、他端が第１開閉機構ＯＣ１と四路切換弁３１３とを接続する冷媒配管（以下、第２室外側冷媒ガス配管という）に配管接続されることによって主冷媒回路３ａと接続されている。なお、以下、蓄熱ライン３ｃと室外側冷媒液配管との接続点を第１ＨＬ接続点ＨＣ１といい、蓄熱ライン１ｃと第２室外側冷媒ガス配管との接続点を第２ＨＬ接続点ＨＣ２という。そして、この蓄熱ライン３ｃには蓄熱用熱交換器４２および第２電動膨張弁ＥＶ２が配備されており、各機器が第２ＨＬ接続点ＨＣ２から第１ＨＬ接続点ＨＣ１に向かって上記の順に冷媒配管を介して接続されている。
【００２７】
また、本実施形態では、空気調和装置１は、分離型の空気調和装置であって、室内熱交換器３７１、冷媒ガス配管３８１、および冷媒液配管３８２を主に有する室内ユニット３７と、蓄熱用熱交換器４２、蓄熱容器４１、第２電動膨張弁ＥＶ２、第１開閉機構ＯＣ１、第２開閉機構ＯＣ２、第１冷媒ガス配管３５１、第２冷媒ガス配管３５３、および冷媒液配管３５２を主に有する蓄熱ユニット４と、圧縮機３１１、四路切換弁３１３、流量制御弁３１５、室外熱交換器３１２、膨張回路３１４、第１冷媒ガス配管３２１、第２冷媒ガス配管３２３、および冷媒液配管３２２を主に有する室外ユニット３１と、室内ユニット３７の冷媒液配管３８２と蓄熱ユニット４の冷媒液配管３５２とを接続する第１冷媒連絡配管３８７と、室内ユニット３７の冷媒ガス配管３８１と蓄熱ユニット４の冷媒ガス配管３５１とを接続する第２冷媒連絡配管３８６と、蓄熱ユニット４の冷媒液配管３５２と室外ユニット３１の冷媒液配管３２２とを接続する第３冷媒連絡配管３３７と、蓄熱ユニット４の第１冷媒ガス配管３５１と室外ユニット３１の第１冷媒ガス配管３２１とを接続する第４冷媒連絡配管３３６と、蓄熱ユニット４の第２冷媒ガス配管３５３と室外ユニット３１の第２冷媒ガス配管３２３とを接続する第５冷媒連絡配管３３５とから構成されているともいえる。なお、室外ユニット３１の冷媒液配管３２２と第３冷媒連絡配管３３７とは室外ユニット３１の液側閉鎖弁３３３を介して、室外ユニット３１の第１冷媒ガス配管３２１と第４冷媒連絡配管３３６とは室外ユニット３１の第２ガス側閉鎖弁３３２を介して、室外ユニット３１の第２冷媒ガス配管３２３と第５冷媒連絡配管３３５とは室外ユニット３１の第１ガス側閉鎖弁３３１を介してそれぞれ接続されている。
【００２８】
なお、このように本実施形態にかかる空気調和装置１をユニット単位で見た場合、第１ＢＬ接続点ＢＣ１は室外ユニット３１に属し、第２ＢＬ接続点ＢＣ２、第１ＨＬ接続点ＨＣ１、および第２ＨＬ接続点ＨＣ２は蓄熱ユニット４に属する。
［室内ユニットの構成］
室内ユニット３７は、主に、室内熱交換器３７１、室内ファン（図示せず）、冷媒ガス配管３８１、および冷媒液配管３８２を有している。
【００２９】
室内熱交換器３７１は、空調室内の空気である室内空気と冷媒との間で熱交換をさせるための熱交換器である。
室内ファンは、室内ユニット３７内に空調室内の空気を取り込み、室内熱交換器３７１を介して冷媒と熱交換した後の空気である調和空気を再び空調室内への送り出すためファンである。
【００３０】
そして、この室内ユニット３７は、このような構成を採用することによって、冷房運転時には室内ファンにより内部に取り込んだ室内空気と室内熱交換器３７１を流れる液冷媒とを熱交換させて調和空気（冷気）を生成し、暖房運転時、暖房兼温蓄熱運転時、および暖房兼デフロスト運転時には室内ファンにより内部に取り込んだ室内空気と室内熱交換器３７１を流れるガス冷媒とを熱交換させて調和空気（暖気）を生成することが可能となっている。
【００３１】
［蓄熱ユニットの構成］
蓄熱ユニット４は、主に、蓄熱容器４１、蓄熱用熱交換器４２、第２電動膨張弁ＥＶ２、第１開閉機構ＯＣ１、第２開閉機構ＯＣ２、第１冷媒ガス配管３５１、第２冷媒ガス配管３５３、および冷媒液配管３５２を有している。
蓄熱容器４１は、冷媒との間で熱交換を行う蓄熱材を収容する。蓄熱材は、例えば、ポリエチレングリコール、トレイトール、パラフィン、酢酸ナトリウム３水和物、硫酸ナトリウム１０水和物などであり、冷媒と熱交換することによって固体・液体間で相変化する。
【００３２】
蓄熱用熱交換器４２は、蓄熱容器４１に蓄えられている蓄熱材と冷媒との間で熱交換をさせるための熱交換器であり、蓄熱容器４１内に設けられる。
第１開閉機構ＯＣ１は、開閉可能な第１電磁弁ＳＶ１および第１逆止弁３６１を有している。この第１開閉機構ＯＣ１では、第１電磁弁ＳＶ１と第１逆止弁３６１とが冷媒流れに対して並列に配置される。また、この第１逆止弁３６１は、各ユニット３１，３４，３７が接続された状態において第２ガス側閉鎖弁３３２から第２ＢＬ接続点ＢＣ２に向かう冷媒の流れのみを許容するように取り付けられている。
【００３３】
第２開閉機構ＯＣ２は、開閉可能な第２電磁弁ＳＶ２および第２逆止弁３６２を有している。この第２開閉機構ＯＣ２では、第２電磁弁ＳＶ２と第２逆止弁３６２とが冷媒流れに対して直列に配置される。なお、この際、第２電磁弁ＳＶ２は第１ＢＬ接続点側に、第２逆止弁３６２は第２ＢＬ接続点側に配置される。また、この第２逆止弁３６２は、各ユニット３１，３４，３７が接続された状態において第１ガス側閉鎖弁３３１から第２ＢＬ接続点ＢＣ２に向かう冷媒の流れのみを許容するように取り付けられている。
【００３４】
そして、この蓄熱ユニット４は、このような構成を採用することによって、暖房兼温蓄熱運転時には蓄熱用熱交換器４２を流れるガス冷媒の温熱を蓄熱材に蓄積させ、暖房兼デフロスト運転時には蓄熱用熱交換器４２を流れる液冷媒に蓄熱材に蓄積される温熱を供給することによってその液冷媒を蒸発させることが可能となっている。なお、この蓄熱材は、融点がおよそ３０℃から４０℃であり、潜熱として温熱を蓄積することが可能となっている。
【００３５】
［室外ユニットの構成］
室外ユニット３１は、主に、四路切換弁３１３、圧縮機３１１、流量制御弁３１５、室外熱交換器３１２、膨張回路３１４、第１冷媒ガス配管３２１、第２冷媒ガス配管３２３、および冷媒液配管３２２を有している。
圧縮機３１１は、吸入管３２５を流れる低圧のガス冷媒を吸入して圧縮した後、吐出管３２６に吐出するための機器である。本実施形態において、圧縮機３１１は、スクロール式やロータリ式等の容積式の圧縮機である。
【００３６】
四路切換弁３１３は、各運転に対応して、冷媒の流れ方向を切り換えるための弁であり、冷房運転時、デフロスト運転時、および暖房兼デフロスト運転時には圧縮機３１１の吐出管３２６と室外熱交換器３１２のガス側とを接続するとともに圧縮機３１１の吸入管３２５と第２ガス側閉鎖弁３３２とを介して接続し、暖房運転時および暖房兼温蓄熱運転時には圧縮機３１１の吐出管３２６と第２ガス側閉鎖弁３３２とを接続するとともに圧縮機３１１の吸入管３２５と室外熱交換器３１２のガス側とを接続することが可能である。
【００３７】
流量制御弁３１５は、冷媒回路においてバイパスライン３ｂによる冷媒の分岐点すなわち第１ＢＬ接続点ＢＣ１と、室外熱交換器３１２との間に設けられ、弁体の開度によって室外熱交換器３１２へと流れる冷媒の流量を制御する。
室外熱交換器３１２は、冷房運転時において、圧縮機３１１から吐出された高圧のガス冷媒を空調室外の空気を熱源として凝縮させることが可能であり、暖房運転時には室内熱交換器３７１から戻る液冷媒を、暖房兼温蓄熱運転時には室内熱交換器３７１および蓄熱用熱交換器４２から戻る液冷媒を蒸発させることが可能である。
【００３８】
膨張回路３１４は、液側閉鎖弁３３３と室外熱交換器３１２との間に接続され、室内熱交換器３７１と室外熱交換器３１２との間を流れる冷媒を減圧するための回路であり、ブリッジ回路７３と、ブリッジ回路７３に接続される連絡回路７５とから構成されている。ブリッジ回路７３は、本実施形態において、４つの逆止弁７４ａ〜７４ｄから構成されており、冷房運転時、デフロスト運転時、および暖房兼デフロスト運転時には、室外熱交換器３１２側からの冷媒を連絡回路７５に流入させた後、液側閉鎖弁３３３側に流通させることが可能であり、暖房運転時および暖房兼温蓄熱運転時には、液側閉鎖弁３３３側からの冷媒を連絡回路７５に流入させた後、室外熱交換器３１２側に流通させることが可能である。また、連絡回路７５には、液冷媒を一時的に溜めることが可能なレシーバ７１と、弁開度の調節が可能な第１電動膨張弁ＥＶ１とが配備されている。
【００３９】
〈空気調和装置の動作〉
空気調和装置１の運転動作について、図１および図２を用いて説明する。この空気調和装置１は、上述したように冷房運転、暖房運転、暖房兼温蓄熱運転、デフロスト運転、および暖房兼デフロスト運転を行うことが可能である。
［冷房運転］
冷房運転時は、四路切換弁３１３が図１の実線で示される状態、すなわち、圧縮機３１１の吐出管３２６が室外熱交換器３１２のガス側に接続され、かつ、圧縮機３１１の吸入管３２５が第２ガス側閉鎖弁３３２側に接続された状態となる。また、第１電動膨張弁ＥＶ１はＳＨ制御され、第２電動膨張弁ＥＶ２は全閉状態とされる。なお、第１電動膨張弁ＥＶ１がＳＨ制御されると、第１電動膨張弁ＥＶ１の弁開度が、室内熱交換器３７１のガス側における冷媒の温度から室内熱交換器３７１の液側における冷媒の温度を引いた差分が一定の正の値（例えば、＋５℃）となるように調節される。また、第１電磁弁ＳＶ１はＯＮされて開状態とされ、第２電磁弁ＳＶ２はＯＦＦされて閉状態とされる（図２参照）。そして、液側閉鎖弁３３３、第１ガス側閉鎖弁３３１、および第２ガス側閉鎖弁３３２は開状態とされる。また、流量制御弁３１５は全開とされる。
【００４０】
この冷媒回路の状態で、圧縮機３１１を起動すると、ガス冷媒が、圧縮機３１１に吸入されて圧縮された後、吐出管３２６、四路切換弁３１３、および第１ＢＬ接続点ＢＣ１を経由して室外熱交換器３１２に送られ、室外熱交換器３１２において凝縮されて液冷媒となる。
そして、この液冷媒は、膨張回路３１４に送られる。この膨張回路３１４に送られた液冷媒は、ブリッジ回路７３の逆止弁７４ｂを介して連絡回路７５に送られて、レシーバ７１で一時的に溜められる。このレシーバ７１で溜められた液冷媒は、第１電動膨張弁ＥＶ１で減圧された後、ブリッジ回路７３の逆止弁７４ｃ、液側閉鎖弁３３３、および第１ＨＬ接続点ＨＣ１を経由して室内熱交換器３７１に供給される。
【００４１】
そして、室内熱交換器３７１に供給された液冷媒は、室内熱交換器３７１において室内空気を冷却するとともに蒸発されてガス冷媒となる。このガス冷媒は、第２ＢＬ接続点ＢＣ２、第１電磁弁ＳＶ１、第２ＨＬ接続点ＨＣ２、第２ガス側閉鎖弁３３２、および四路切換弁３１３を経由して、再び、圧縮機３１１に吸入される。このようにして、冷房運転が行われる。
【００４２】
［暖房運転］
暖房運転時は、四路切換弁３１３が図１の破線で示される状態、すなわち、圧縮機３１１の吐出側が第２ガス側閉鎖弁３３２に接続され、かつ、圧縮機３１１の吸入側が室外熱交換器３１２のガス側に接続された状態となっている。また、第１電動膨張弁ＥＶ１はＳＨ制御され、第２電動膨張弁ＥＶ２は全閉状態とされる。なお、第１電動膨張弁ＥＶ１がＳＨ制御されると、第１電動膨張弁ＥＶ１の弁開度が、室外熱交換器３１２のガス側における冷媒の温度から室外熱交換器３１２の液側における冷媒の温度を引いた差分が一定の正の値（例えば、＋５℃）となるように調節される。また、第１電磁弁ＳＶ１および第２電磁弁ＳＶ２は、ＯＦＦされて閉状態とされる（図２参照）。そして、液側閉鎖弁３３３、第１ガス側閉鎖弁３３１、および第２ガス側閉鎖弁３３２は開状態とされる。また、流量制御弁３１５は、全開とされる。
【００４３】
この冷媒回路の状態で、圧縮機３１１を起動すると、ガス冷媒が、圧縮機３１１に吸入されて圧縮された後、吐出管３２６、四路切換弁３１３、第２ガス側閉鎖弁３３２、第２ＨＬ接続点ＨＣ２、第１逆止弁３６１、および第２ＢＬ接続点ＢＣ２を経由して、室内熱交換器３７１に供給される。
そして、そのガス冷媒は、室内熱交換器３７１において室内空気を加熱するとともに凝縮されて液冷媒となる。この液冷媒は、第１ＨＬ接続点ＨＣ１および液側閉鎖弁３３３を経由して膨張回路３１４に送られる。この膨張回路３１４に送られた液冷媒は、ブリッジ回路７３の逆止弁７４ａを介して、連絡回路７５に送られてレシーバ７１で一時的に溜められる。このレシーバ７１で溜められた液冷媒は、第１電動膨張弁ＥＶ１で減圧された後、ブリッジ回路７３の逆止弁７４ｄを介して、室外熱交換器３１２に送られ、室外熱交換器３１２において蒸発されてガス冷媒となる。このガス冷媒は、第１ＢＬ接続点ＢＣ１、および四路切換弁３１３を経由して、吸入管３２５に戻り、再び、圧縮機３１１に吸入される。このようにして、暖房運転が行われる。
【００４４】
［暖房兼温蓄熱運転］
暖房兼温蓄熱運転時は、四路切換弁３１３が図１の破線で示される状態、すなわち、圧縮機３１１の吐出側が第２ガス側閉鎖弁３３２に接続され、かつ、圧縮機３１１の吸入側が室外熱交換器３１２のガス側に接続された状態となっている。また、第１電動膨張弁ＥＶ１はＳＨ制御され、第２電動膨張弁ＥＶ２は所定の開度を維持する状態とされる。なお、第１電動膨張弁ＥＶ１がＳＨ制御されると、第１電動膨張弁ＥＶ１の弁開度が、室外熱交換器３１２のガス側における冷媒の温度から室外熱交換器３１２の液側における冷媒の温度を引いた差分が一定の正の値（例えば、＋５℃）となるように調節される。また、第１電磁弁ＳＶ１および第２電磁弁ＳＶ２はＯＦＦされて閉状態とされる（図２参照）。そして、液側閉鎖弁３３３、第１ガス側閉鎖弁３３１、および第２ガス側閉鎖弁３３２は開状態とされる。また、流量制御弁３１５は全開とされる。
【００４５】
この冷媒回路の状態で、圧縮機３１１を起動すると、ガス冷媒が、圧縮機３１１に吸入されて圧縮された後、吐出管３２６、四路切換弁３１３、および第２ガス側閉鎖弁３３２を経由して第２ＨＬ接続点ＨＣ２に至る。そして、第２ＨＬ接続点ＨＣ２に至ったガス冷媒は、その後、第１逆止弁３６１および第２ＢＬ接続点ＢＣ２を経由して室内熱交換器３７１に向かう経路である第１経路と、蓄熱用熱交換器４２に向かう経路である第２経路とに分配される。
【００４６】
第１経路に分配されたガス冷媒は、室内熱交換器３７１において室内空気を加熱するとともに凝縮されて液冷媒となり、第１ＨＬ接続点ＨＣ１に至る。
一方、第２経路に分配されたガス冷媒は、上述したように蓄熱用熱交換器４２を流れ、蓄熱用熱交換器４２において蓄熱材を加熱するとともに凝縮されて液冷媒となる。この際、蓄熱材は、固相から液相に相変化し、ガス冷媒から供給される温熱を主に潜熱として蓄積する。その後、この液冷媒は、第２電動膨張弁ＥＶ２を経由して第１ＨＬ接続点ＨＣ１に至る。
【００４７】
そして、室内熱交換器３７１から第１ＨＬ接続点ＨＣ１に至った液冷媒と、第２電動膨張弁ＥＶ２を経由して第１ＨＬ接続点ＨＣ１に至った液冷媒とは、第１ＨＬ接続点ＨＣ１において合流した後、液側閉鎖弁３３３を経由して膨張回路３１４に送られる。この膨張回路３１４に送られた液冷媒は、ブリッジ回路７３の逆止弁７４ａを介して、連絡回路７５に送られてレシーバ７１で一時的に溜められる。このレシーバ７１で溜められた液冷媒は、第１電動膨張弁ＥＶ１で減圧された後、ブリッジ回路７３の逆止弁７４ｄを介して、室外熱交換器３１２に送られ、室外熱交換器３１２において蒸発されてガス冷媒となる。このガス冷媒は、第１ＢＬ接続点ＢＣ１、および四路切換弁３１３を経由して、吸入管３２５に戻り、再び、圧縮機３１１に吸入される。このようにして、暖房運転が行われる。
【００４８】
なお、この暖房兼温蓄熱運転は、主に、空気調和装置１の起動時に行われ、その後、自動的に暖房運転に切り替わる。
［デフロスト運転］
デフロスト運転時は、四路切換弁３１３が図１の実線で示される状態、すなわち、圧縮機３１１の吐出管３２６が室外熱交換器３１２のガス側に接続され、かつ、圧縮機３１１の吸入管３２５が第２ガス側閉鎖弁３３２側に接続された状態となる。また、第１電動膨張弁ＥＶ１は所定の開度を維持する状態とされ、第２電動膨張弁ＥＶ２は全閉状態とされる。また、第１電磁弁ＳＶ１はＯＮされて開状態とされ、第２電磁弁ＳＶ２はＯＦＦされて閉状態とされる（図２参照）。そして、液側閉鎖弁３３３、第１ガス側閉鎖弁３３１、および第２ガス側閉鎖弁３３２は開状態とされる。また、流量制御弁３１５は、全開とされる。
【００４９】
この冷媒回路の状態で、圧縮機３１１を起動すると、ガス冷媒が、圧縮機３１１に吸入されて圧縮された後、吐出管３２６、四路切換弁３１３、および第１ＢＬ接続点ＢＣ１を経由して室外熱交換器３１２に送られ、室外熱交換器３１２の外表面に付着している霜を融解するとともに凝縮されて液冷媒となる。
そして、この液冷媒は、膨張回路３１４に送られる。この膨張回路３１４に送られた液冷媒は、ブリッジ回路７３の逆止弁７４ｂを介して連絡回路７５に送られて、レシーバ７１で一時的に溜められる。このレシーバ７１で溜められた液冷媒は、第１電動膨張弁ＥＶ１で減圧された後、ブリッジ回路７３の逆止弁７４ｃ、液側閉鎖弁３３３、および第１ＨＬ接続点ＨＣ１を経由して室内熱交換器３７１に供給される。
【００５０】
そして、室内熱交換器３７１に供給された液冷媒は、室内熱交換器３７１の周囲の空気を冷却するとともに蒸発されてガス冷媒となる。なお、この際、空調室内を積極的に冷房しないように、室内ファンが駆動しないように制御される。
そして、このガス冷媒は、第２ＢＬ接続点ＢＣ２、第１電磁弁ＳＶ１、第２ＨＬ接続点ＨＣ２、第２ガス側閉鎖弁３３２、および四路切換弁３１３を経由して、再び、圧縮機３１１に吸入される。
【００５１】
なお、このデフロスト運転は、室外熱交換器３１２の外表面の温度や外気温などのパラメータに基づいて切り換わるようなっている。また、このデフロスト運転は、室内熱交換器３７１に霜が付着しないように、暖房運転などとの間で間欠的に行われる。
［暖房兼デフロスト運転］
暖房兼デフロスト運転時は、四路切換弁３１３が図１の実線で示される状態、すなわち、圧縮機３１１の吐出管３２６が室外熱交換器３１２のガス側に接続され、かつ、圧縮機３１１の吸入管３２５が第２ガス側閉鎖弁３３２側に接続された状態となる。また、第１電動膨張弁ＥＶ１は所定の開度を維持する状態とされ、第２電動膨張弁ＥＶ２はＳＨ制御される。なお、第２電動膨張弁ＥＶ２がＳＨ制御されると、第２電動膨張弁ＥＶ２の弁開度が、蓄熱用熱交換器４２の第２ＨＬ接続点側における冷媒の温度から蓄熱用熱交換器４２の第２電動膨張弁側における冷媒の温度を引いた差分が一定の正の値（例えば、＋５℃）となるように調節される。また、第１電磁弁ＳＶ１はＯＦＦされて閉状態とされ、第２電磁弁ＳＶ２はＯＮされて開状態とされる（図２参照）。そして、液側閉鎖弁３３３、第１ガス側閉鎖弁３３１、および第２ガス側閉鎖弁３３２は開状態とされる。また、流量制御弁３１５は、室内ユニット３７における暖房能力の低下を防止するための所定の開度制御を受ける。すなわち、流量制御弁３１５は、暖房兼デフロスト運転の開始直後には、所定の開度に絞られ、室外熱交換器３１２へ流れる冷媒の流量を低下させる。そして、流量制御弁３１５は、その後、徐々に開度を開いて室外熱交換器３１２へ流れる冷媒の流量を増加させる。
【００５２】
この冷媒回路の状態で、圧縮機３１１を起動すると、ガス冷媒が、圧縮機３１１に吸入されて圧縮された後、吐出管３２６および四路切換弁３１３を経由して第１ＢＬ接続点ＢＣ１に至る。そして、第１ＢＬ接続点ＢＣ１に至ったガス冷媒は、その後、第１ガス側閉鎖弁３３１、第２開閉機構ＯＣ２、および第２ＢＬ接続点ＢＣ２を経由して室内熱交換器３７１に向かう経路である第３経路と、室外熱交換器３１２に向かう経路である第４経路とに分配される。
【００５３】
第３経路に分配されたガス冷媒は、室内熱交換器３７１において室内空気を加熱するとともに凝縮されて液冷媒となり、第１ＨＬ接続点ＨＣ１に至る。
一方、第４経路に分配されたガス冷媒は、室外熱交換器３１２の外表面に付着している霜を融解するとともに凝縮されて液冷媒となった後、膨張回路３１４に送られる。なお、暖房兼デフロスト運転の開始直後には、第４経路に分配されるガス冷媒は流量制御弁３１５によって流量が低下させられており、流量制御弁３１５が設けられない場合と比較して第３経路に分配されるガス冷媒の流量が多くなっている。膨張回路３１４に送られた液冷媒は、ブリッジ回路７３の逆止弁７４ｂを介して連絡回路７５に送られて、レシーバ７１で一時的に溜められる。このレシーバ７１で溜められた液冷媒は、第１電動膨張弁ＥＶ１で減圧された後、ブリッジ回路７３の逆止弁７４ｃおよび液側閉鎖弁３３３を経由して第１ＨＬ接続点ＨＣ１に至る。
【００５４】
そして、室内熱交換器３７１から第１ＨＬ接続点ＨＣ１に至った液冷媒と、ブリッジ回路７３の逆止弁７４ｃおよび液側閉鎖弁３３３を経由して第１ＨＬ接続点ＨＣ１に至った液冷媒とは、第１ＨＬ接続点ＨＣ１において合流し、第２電動膨張弁ＥＶ２で減圧された後、蓄熱用熱交換器４２に送られ、上述したように蓄熱用熱交換器４２を流れる。これにより、冷媒は、蓄熱用熱交換器４２において温熱を蓄積している蓄熱材によって蒸発されてガス冷媒となる。その後、このガス冷媒は、第２ＨＬ接続点ＨＣ２、第２ガス側閉鎖弁３３２、および四路切換弁３１３を経由して、吸入管３２５に戻り、再び、圧縮機３１１に吸入される。
【００５５】
なお、この暖房兼デフロスト運転は、室外熱交換器３１２の外表面の温度や外気温などのパラメータに基づいて切り換わるようなっている。また、このデフロスト運転は、所定時間（例えば、１０分間）継続して行われる。
〈空気調和装置の特徴〉
（１）
この空気調和機装置１では、圧縮機３１１から室外熱交換器３１２に向かって吐出される冷媒が第３経路と第４経路とに分配され、冷媒の一部がバイパスライン３ｂによって室内熱交換器３７１に導かれ、他の冷媒が室外熱交換器３１２へ導かれる。このため、蓄熱を利用して室外熱交換器３１２を凝縮器として機能させると共に室内熱交換器３７１を凝縮器として機能させることができる。これにより、この空気調和装置１では、デフロスト運転と暖房運転とを同時に行うことができる暖房兼デフロスト運転を行うことができる。
【００５６】
（２）
この空気調和装置１では、暖房兼デフロスト運転の開始時において、流量制御弁３１５によって室外熱交換器３１２へと向かう第４経路を流れる冷媒の流量が、流量制御弁３１５が設けられない場合と比べて低下される。このため、流量制御弁３１５が設けられない場合と比べて、室内熱交換器３７１へと向かう冷媒の流量が増加し、凝縮圧力および凝縮温度が上昇する。これにより、暖房兼デフロスト運転時において、室内ユニット３７の暖房能力の低下を抑制することができる。
【００５７】
なお、暖房兼デフロスト運転において室外熱交換器３１２へと向かう第４経路を流れる冷媒の流量を制御するものは、必ずしも弁の開度によって流量を制御する機構に限らず、他の機構が用いられてもよい。
＜第２実施形態＞
〈空気調和装置の構成〉
本発明の第２実施形態にかかる空気調和装置２の冷媒回路を図３に示す。
【００５８】
この空気調和装置２では、冷媒回路は、第１ＢＬ接続点ＢＣ１と室外熱交換器３１２との間において、冷媒が並列に流れる第５経路３１６および第６経路３１７を有している。そして、流量制御弁３１８は第６経路３１７に設けられており、第５経路３１６は流量制御弁３１８が設けられていない直管の冷媒配管である。また、第５経路３１６と流量制御弁３１８が全開状態となっている第６経路３１７との単位長さあたりの圧力損失は、冷媒回路における第５経路３１６と第６経路３１７の前後の部分の直管の冷媒配管の圧力損失と同等となっている。
【００５９】
他の構成については、第１実施形態にかかる空気調和装置１と同様である。
〈空気調和装置の特徴〉
暖房運転および暖房兼温蓄熱運転においては、室外熱交換器３１２は、蒸発器として機能するため、第１実施形態にかかる空気調和装置１では、流量制御弁３１５は、蒸発器出口位置に置かれることになる。この場合、直管の冷媒配管と比べて流量制御弁３１５によって圧力損失が生じ、余計な動力が必要になる恐れがある。
【００６０】
しかし、この空気調和装置２では、上記のように流量制御弁３１８を設けることによって、流量制御弁３１８による圧力損失の増大を抑えることができる。
＜第３実施形態＞
〈空気調和装置の構成〉
本発明の第３実施形態にかかる空気調和装置３の冷媒回路を図４に示す。
【００６１】
この空気調和装置３では、第１実施形態にかかる空気調和装置１における流量制御弁３１５に代えて、圧縮機や冷媒ポンプなどの圧縮機構３１９が設けられている。圧縮機構３１９は、バイパスライン３ｂ上の第１ＢＬ接続点ＢＣ１と第１ガス側閉鎖弁３３１との間に設けられており、通過する冷媒を圧縮して昇圧することができる。この圧縮機構３１９は、暖房兼デフロスト運転の開始直後にバイパスライン３ｂによって室内熱交換器３７１へと導かれる冷媒を昇圧する。
【００６２】
他の構成については、第１実施形態にかかる空気調和装置１と同様である。
〈空気調和装置の特徴〉
この空気調和装置３では、圧縮機構３１９が、暖房兼デフロスト運転の開始直後にバイパスライン３ｂによって室内熱交換器３７１へと導かれる冷媒を昇圧する。従って、暖房兼デフロスト状態の開始直後において、圧縮機構３１９が設けられない場合と比べて室内熱交換器３７１に流れる冷媒の流量が増加し、室内熱交換器３７１に流れる冷媒の凝縮温度が上昇する。これにより、この空気調和装置３では、暖房兼デフロスト状態の開始直後における室内ユニット３７の暖房能力の低下を抑制することができる。
【００６３】
なお、圧縮機構３１９が設けられる位置は、室外ユニット３１内に限られるものではなく、バイパスライン３ｂ上であればよい。また、室内熱交換器３７１へ導かれる冷媒を昇圧するという観点においては、バイパスライン３ｂ上に限らず、暖房兼デフロスト状態の冷媒流れにおける第１ＢＬ接続点ＢＣ１と室内熱交換器３７１との間に圧縮機構３１９が設けられればよい。
【産業上の利用可能性】
【００６４】
本発明は、デフロスト運転時においても室内を暖房することができる効果を有し、空気調和装置として有用である。
【図面の簡単な説明】
【００６５】
【図１】第１実施形態にかかる空気調和装置１の冷媒回路図。
【図２】各運転モードにおける制御内容を示す図。
【図３】第２実施形態にかかる空気調和装置１の冷媒回路図。
【図４】第３実施形態にかかる空気調和装置１の冷媒回路図。
【符号の説明】
【００６６】
１，２，３  空気調和装置
３ｂ        バイパスライン（分岐配管）
４２        蓄熱用熱交換器
３１１      圧縮機
３１２      室外熱交換器（熱源側熱交換器）
３１４      膨張回路（切換機構）
３１５      流量制御弁（冷媒流量制御機構）
３１６      第５経路（第１冷媒経路）
３１７      第６経路（第２冷媒経路）
３１８      流量制御弁（冷媒流量制御機構）
３１９      圧縮機構（冷媒流量制御機構）
３７１      室内熱交換器（利用側熱交換器）
ＥＶ２      第２電動膨張弁（切換機構）
ＯＣ１      第１開閉機構（切換機構）
ＯＣ２      第２開閉機構（切換機構）
【図１】
2005337666.tif 000003
【図２】
2005337666.tif 000004
【図３】
2005337666.tif 000005
【図４】
2005337666.tif 000006